(57)【要約】  従来、手動で操作される水栓ハンドルまたは手動制御バルブによる混合水の吐出は、使用者によって吐き出される吐出水の温度が異なるため適正な温度に調整することが不便であり、水栓ハンドルの開放の際には温水管内の低温の温水と冷水管の冷水が混合されて吐き出されるので、使用中に吐出水の温度が変わるため適正温度に調整するために水栓ハンドルを再び調整しなければならない不便さがあり、水栓ハンドルの操作が下手であるため、左側端方向に操作する場合、熱湯または冷水が吐き出されて使用者が火傷を負うか驚くことになる欠点があり、それぞれの吐水口に吐き出される吐出水の温度及び水量を調節する付加の水栓ハンドルまたは手動制御バルブ及び冷温水を供給する冷水供給管及び温水供給管が必ず設置されなければならないので、壁体への埋設作業が複雑であるとともに設置されるそれぞれの水栓ハンドルによって美観がよくなくなる欠点があった。  温水ボイラーの稼動及び停止と循環水ポンプ１５を制御することで、使用者の設定温度の混合水がそれぞれの共同浴室、厨房、個人浴室、洗濯室に設置されたそれぞれの吐水口３０を通じて即時使用可能に設定された温度で吐き出されるようにし、随時発生する温度の変化及び温度の不快感を無くし、高温熱湯の吐出による火傷を防止し、不要な循環水ポンプの稼動を制御して水の使用量及びエネルギーを節減するようにし、それぞれの制御ゾーンに形成されるバルブ転換箱同士はそれぞれの冷水管、温水管、混合水管、循環水管などの軟質管が挿入された二重管構造にしてバルブ転換箱の内部を通じて流入及び引出できるように結合配管されるので、前記軟質管の交替及び補修が容易であり、前記それぞれのバルブ転換箱の内部に設置されるそれぞれの冷水／混合水転換バルブによる冷温水／混合水の遮断が可能であって、それぞれの吐水部の吐水口の故障またはそれぞれの制御ゾーン（洗面器、洋便器、浴槽、シャワー、流し台水栓、洗濯水栓、手洗濯水栓など）別に設置された配管の漏水の際、補修が容易であり、冷水または温水／混合水を供給するただ一つの温水／混合水管または冷水管を一本の配管ラインで設置して温水／混合水及び冷水を直ちに受けることができ、配管の本数を減らすことができ、底スラブ構造の安全性が確保され、洋便器に別に結合設置される既存の一体型ビデを設置する必要なしに、洋便器の左右側のいずれか１箇所に付加の混合水遮断及び流量調節ボタン６３とメタルホースを持つ洗浄スプレーを設置してそれぞれのバルブ転換箱４１、４１ａ、４１ｂから使用者によって設定された混合水を受け、大便、小便の用便後、洗浄に使うとともに、トイレ底の掃除にも有用に使われる温度調節の容易な混合水及び冷温水供給システムを提供する。
2011519011.tif 000002
【特許請求の範囲】
【請求項１】
冷温水管２３、２４と連結された温水ボイラー及び瞬間温水器の温水供給システムにおいて、
前記温水ボイラー１２及び瞬間温水器の内側に３方バルブを持つ温水／循環水ポンプ１５が設置され、配管内圧力感知センサー１４が設置され、温水使用の際に循環水ポンプ稼動スイッチ１９を押せば温水及び循環水の循環を制御し、温水使用の際にだけ温水ボイラーと温水／循環水ポンプ１５を稼動して温水を供給して直ちに使用可能な混合水を吐水口３０に供給することにより、水の使用量及びエネルギーを節減するように構成された循環水ポンピング制御ゾーン１０と；
前記冷水管２３から供給された冷水を分配する冷水分配管１６と前記温水管２４から供給された温水を分配する温水分配管１７が形成され、一つのステップモーター１８ａとサーモスタットバルブ１８ｋが一体的に形成された多数のサーモバルブ１８が設置された分配調節箱１１ａを持つ分配調節制御ゾーン１１と；
前記分配調節制御ゾーン１１から供給される混合水の設定温度を調節するために前記それぞれのサーモバルブ１８に結合形成されたステップモーター１８ａを調節するために結線される温度設定レバー８２、設定温度の混合水と冷水を受けて分配する冷水／混合水転換バルブ４３及びそれぞれの吐出水を遮断する遮断バルブ４３’が一体的に内装されたバルブ転換箱４１、４１ａ、４１ｂが形成されたそれぞれの制御ゾーン４０、４０ａ、４０ｂと；
前記いずれか一つの制御ゾーン４０、４０ａ、４０ｂから分配されて供給される混合水及び冷水の流量調節及び遮断を行う流量調節レバー３１及び冷水／混合水転換レバー６４を持つそれぞれの吐水口３０と；
前記温水ボイラーゾーン１０、分配調節制御ゾーン１１及びそれぞれの制御ゾーン４０、４０ａ、４０ｂが電気及び電子的に結線され、温水／混合水使用の際に温水ボイラー１２の稼動と混合水の温度を制御するコントローラー７２を備えたメインコントロールゾーン７０と；を含み、それぞれの制御ゾーン４０、４０ａ、４０ｂが並列配管で構成され、
前記循環水ポンプ稼動スイッチ１９を押せば３方バルブ１３が循環水管２１と温水管２４側にバルブを開いて温水ボイラー１２と循環水ポンプ１５が稼動され、温水ボイラー１２の内部で加熱された温水が温水管２４を通じてサーモバルブ１８で設定された温度の温水になるように温水管２４と循環水管２１に繰り返し循環されて吐水口３０を通じて、使用者が設定した温水／混合水を提供することができ、吐水口３０の開放の際には、配管内の圧力が落ちて圧力感知センサー１４の接点が開成され、３方バルブ１３が循環水管２１と温水管２４側にバルブを閉め、冷水管２３と温水ボイラー１２の温水加熱コイルを経て温水管２４側に３方バルブ１３が開かれて温水／混合水の供給は持続され、吐水口３０の一側に形成された流量調節レバー３１を閉めると同時に温水ボイラー１２の稼動が中止されるので、混合水が出るまで排出される冷水を捨てることがなくて水の浪費を減らすようにしたことを特徴とする、温度調節の容易な温水ボイラー及び瞬間温水器の冷温水供給システム。
【請求項２】
前記それぞれの制御ゾーン４０、４０ａ、４０ｂは１世帯内に二つ以上の制御ゾーン４０、４０ａ、４０ｂで構成され、一側の制御ゾーン４０のバルブ転換箱４１の内部に設置されたサーモバルブ１８を通じて、使用者の所望温度に設定された温水を受けて使用しているうち他側の制御ゾーン４０ａ、４０ｂの他の使用者がバルブ転換箱４１ａ、４１ｂのサーモバルブ１８で５０℃以上の熱水を設定して使用するときに一つ以上の循環水管２１を通じて循環水合流管５２に合流するとき、他側の制御ゾーン４０ａ、４０ｂで使われる熱水が循環水管２１を通じて他側の制御ゾーン４０ａ、４０ｂのバルブ転換箱４１ａ、４１ｂに逆流して使用者が設定しなかった突然の温水／混合水の温度変化を引き起こして供給されることを防止するために、それぞれのバルブ転換箱４１、４１ａ、４１ｂからそれぞれの循環水管２１を通じて循環水合流管５２に合流する前の循環水合流管５２の各出口４６ａに逆止バルブ５３が設置されることで、温水／混合水管２０を通じて他側のバルブ転換箱４１、４１ａ、４１ｂにそれぞれ異なる温度の温水／混合水が逆流することを防止することを特徴とする、請求項１に記載の温度調節の容易な温水ボイラー及び瞬間温水器の冷温水供給システム。
【請求項３】
前記それぞれの制御ゾーン４０、４０ａ、４０ｂは、
前記分配調節制御ゾーン１１から供給される混合水の設定温度を調節する温度設定レバー８２、設定された混合水と冷水を受けて分配する冷水／混合水転換バルブ４３、及びそれぞれの吐出水を遮断する遮断バルブ４３’が一体的に内装されたバルブ転換箱４１ａが形成された共同浴室制御ゾーン４０ａと；
前記共同浴室制御ゾーン４０ａから供給される混合水の設定温度を調節する温度設定レバー８２、設定された混合水と冷水を受けて分配する冷水／混合水転換バルブ４３、及びそれぞれの吐出水を遮断する遮断バルブ４３’が一体的に内装されたバルブ転換箱４１が形成された厨房制御ゾーン４０と；
前記厨房制御ゾーン４０から供給される混合水の設定温度を調節する温度設定レバー８２、設定された混合水と冷水を受けて分配する冷水／混合水転換バルブ４３、及びそれぞれの吐出水を遮断する遮断バルブ４３’が一体的に内装されたバルブ転換箱４１ｂが形成された個人浴室制御ゾーン４０ｂと；
を含むことを特徴とする、請求項２に記載の温度調節の容易な温水ボイラー及び瞬間温水器の冷温水供給システム。
【請求項４】
前記共同浴室制御ゾーン４０ａと個人浴室制御ゾーン４０ｂは、１世帯内に使用者の温水設定温度に設定された温水／混合水をバルブ転換箱４１ａ、４１ｂから受けて洋便器の左右側のいずれか１箇所に二重しわ管２５構造の配管方式で混合水管を壁体に埋め込んで配管し、建築仕上げの後、仕上げられた壁体の表面側に付加の混合水遮断及び流量調節用レバー３１とメタルホース６２で連結して大、小便の用便の後に洗浄する洗浄スプレー６０が設置され、使用者が温水／混合水の設定温度を制御するように構成されたことを特徴とする、請求項３に記載の温度調節の容易な温水ボイラー及び瞬間温水器の冷温水供給システム。
【請求項５】
前記循環水ポンプ稼動スイッチ１９をＯＮにすれば、タイムスイッチの一定時間が経過すれば自動でタイムスイッチの接点がＯＦＦになって循環水ポンプ１５の稼動が中止され、温水／混合水使用の後、吐水口３０を閉めれば配管内の圧力が上昇して圧力感知センサー１４の接点が閉成されても循環水ポンプ稼動スイッチ１９のタイムスイッチの接点がＯＦＦになることにより、温水ボイラー１２と循環水ポンプ１５が継続して循環されて稼動されることを防止することを特徴とする、請求項１に記載の温度調節の容易な温水ボイラー及び瞬間温水器の冷温水供給システム。
【請求項６】
前記それぞれの制御ゾーン４０、４０ａ、４０ｂは、バルブ転換箱４１、４１ａ、４１ｂの内部に設置された冷水／混合水転換バルブ４３を通過した冷水、温水／混合水をそれぞれの吐水口３０に送り出すとともに個別に遮断して、それぞれの吐水口３０の故障またはそれぞれの制御ゾーン４０、４０ａ、４０ｂ別に設置された配管の漏水の際、それぞれの吐水口３０またはそれぞれの制御ゾーン４０、４０ａ、４０ｂ別に個別に閉めることで、他側の吐水口３０または制御ゾーン４０、４０ａ、４０ｂは使うことができることを特徴とする、請求項１に記載の温度調節の容易な温水ボイラー及び瞬間温水器の冷温水供給システム。
【請求項７】
１世帯内のそれぞれの制御ゾーン４０、４０ａ、４０ｂと連結された水栓または吐水口３０が設置された壁体にそれぞれの冷水または温水／混合水を供給する冷水管２３または混合水管２０をそれぞれ設置する必要なしに、ただ一つの温水／混合水管または冷水管を一本の配管ラインで設置して、温水／混合水及び冷水を直ちに受けることができ、壁体及び底に埋め込まれて配管される配管の本数を減らすことができ、壁体及び底スラブ構造の安全性を確保することができることを特徴とする、請求項１に記載の温度調節の容易な温水ボイラー及び瞬間温水器の冷温水供給システム。
【請求項８】
前記それぞれの制御ゾーン４０、４０ａ、４０ｂのバルブ転換箱４１、４１ａ、４１ｂに連結設置されるそれぞれの冷水管２３、温水／混合水管２０、循環水管２１及び吐水口３０は二重しわ管２５構造で連結結合され、分岐、分配、ループ方式で互いに連結配管される分配機能があることを特徴とする、請求項１に記載の温度調節の容易な温水ボイラー及び瞬間温水器の冷温水供給システム。
【請求項９】
前記それぞれの制御ゾーン４０、４０ａ、４０ｂは、バルブ転換箱４１、４１ａ、４１ｂごとにサーモバルブ１８をそれぞれ設置し、温度設定を手動で制御することにより、１世帯内にそれぞれのバルブ転換箱４１、４１ａ、４１ｂに配管で設置された多数の吐水口３０に冷水、温水／混合水を手動制御方式で供給することができることを特徴とする、請求項１に記載の温度調節の容易な温水ボイラー及び瞬間温水器の冷温水供給システム。
【請求項１０】
冷水を加熱して温水を供給する温水ボイラー１２と；
冷水管２３から供給された冷水を分配する冷水分配管１６と前記温水ボイラー１２から加熱されて供給された温水を分配する温水分配管１７とが形成され、手動で作動されて設定温度を調節するサーモバルブ１８が設置された分配調節制御ゾーン１１ａと；
前記分配調節制御ゾーン１１ａのそれぞれのサーモバルブ１８から混合水が供給され、前記冷水管２３から冷水が供給されて多数の吐水口３０に冷水及び混合水を分配する冷水／混合水転換バルブ４３が設置されたバルブ転換箱４１、４１ａ、４１ｂが設置されたそれぞれの制御ゾーン４０、４０ａ、４０ｂと；を含んでなることを特徴とする、温度調節の容易な温水ボイラー及び瞬間温水器の冷温水供給システム。
【請求項１１】
前記それぞれの制御ゾーン４０、４０ａ、４０ｂのバルブ転換箱４１、４１ａ、４１ｂの内部に設置された分岐流路管４２は、一側に多数の入出口４６を持つ温水／混合水分岐流路４７が形成され、他側に二つ以上の入出口４６を持つ冷水分岐流路４８が形成され、中央部にモーター４５を備えた冷水／混合水転換バルブ４３が形成され、それぞれの制御ゾーン４０、４０ａ、４０ｂの冷水管２３が互いにループ方式で並列配管で構成されることで、１世帯内で２箇所以上の吐水口３０を通じて冷水を同時に使う場合、２方向に冷水が供給されるようにして冷水流量の変化を最小化することを特徴とする、請求項１に記載の温度調節の容易な温水ボイラー及び瞬間温水器の冷温水供給システム。
【請求項１２】
壁体に埋め込まれて二重管構造の配管と結合される分配調節箱１１ａの内部には、冷水管２３から供給された冷水を分配する冷水分配管１６、前記温水管２４から供給された温水を分配する温水分配管１７、及び循環水を分配する循環水分配管１７ａが形成され、一つのステップモーター１８ａとサーモスタットバルブ１８ｋが一体的に結合された多数のサーモバルブ１８が壁体に埋め込まれる分配調節箱１１ａの前面に調節箱カバー２１ａが固定部材１１ｃで結合固定されたことを特徴とする、温度調節の容易な温水ボイラー及び瞬間温水器の冷温水供給システム。
【請求項１３】
前記分配調節箱１１ａは、前方に、前記分配調節箱１１ａの周囲面と同一の大きさ及び一定の幅に形成され、固定用ネジ１０１によって前記分配調節箱１１ａと一体的に結合されて前記分配調節箱１１ａの幅を調節する延長部材１１０が結合設置されたことを特徴とする、請求項１または１２に記載の温度調節の容易な温水ボイラー及び瞬間温水器の冷温水供給システム。
【請求項１４】
前記分配調節箱１１ａはトイレ天井に埋め込まれたことを特徴とする、請求項１または１２に記載の温度調節の容易な温水ボイラー及び瞬間温水器の冷温水供給システム。
【請求項１５】
前記分配調節箱１１ａはトイレ天井のスラブ下部に露出されて設置されたことを特徴とする、請求項１または１２に記載の温度調節の容易な温水ボイラー及び瞬間温水器の冷温水供給システム。
【請求項１６】
前記分配調節箱１１ａは、流し台、つくりつけのおしいれ、ドレスルーム、げたばこのいずれか一つの下部底スラブに埋め込まれたことを特徴とする、請求項１または１２に記載の温度調節の容易な温水ボイラー及び瞬間温水器の冷温水供給システム。
【請求項１７】
前記バルブ転換箱４１、４１ａ、４１ｂは、混合水の設定温度を調節する温度設定レバー８２、冷水／混合水転換バルブ４３及びそれぞれの吐出水を遮断する遮断バルブ４３’が形成されたレバー開閉板８０が結合設置され、前記バルブ転換箱４１、４１ａ、４１ｂは、トイレ、流し台、洗濯室など、水栓が設置される位置の壁体に埋め込まれ、前記二重管構造の配管と結合されるバルブ転換箱４１、４１ａ、４１ｂはそれぞれ分配機能があり、他側のバルブ転換箱４１、４１ａ、４１ｂに分岐通過機能があることを特徴とする、請求項１または１２に記載の温度調節の容易な温水ボイラー及び瞬間温水器の冷温水供給システム。
【請求項１８】
前記温度設定レバー８２は手動転換で作動されるか、あるいはＬＣＤ表示部を持つデジタルスイッチで形成されてアナログ方式またはデジタル数字方式または数字入力方式で温度が設定されることを特徴とする、請求項１または１２に記載の温度調節の容易な温水ボイラー及び瞬間温水器の冷温水供給システム。
【請求項１９】
前記各バルブ転換箱４１、４１ａ、４１ｂの前面に設置された温度設定レバー８２は、設置条件によって温度設定が可能であり、Ｃ（冷水）、３０℃、３５℃、４０℃、Ｈ（熱湯）の５段階で温度設定範囲が構成されるか、あるいはＣ（冷水）とＨ（熱湯）を含み、設定段階を５段階以上の６、７、８、９、１０、・・・段階に使用者が細分化した温度設定範囲を構成することができるようにしたことを特徴とする、請求項１または１２に記載の温度調節の容易な温水ボイラー及び瞬間温水器の冷温水供給システム。
【請求項２０】
前記吐水口３０は冷温水混合水栓の設置位置に設置され、サーモバルブ１８と一体的に結合され、温度設定の際、ステップモーター１８ａの駆動で調節されて供給される冷水及び温水を吐き出し、前記吐き出される冷温水の流量調節及び遮断を行う流量調節レバー３１が分離されて別に壁体に埋め込まれるか一体的に結合されてなることを特徴とする、請求項１または１２に記載の温度調節の容易な温水ボイラー及び瞬間温水器の冷温水供給システム。
【請求項２１】
前記冷水／混合水転換レバー８４及び遮断レバー８６の回転によって手動で作動される冷水／混合水転換バルブ４３及び遮断バルブ４３’は、それぞれのバルブ回転軸４７に結合されたそれぞれのモーターの駆動によって開閉転換されることを特徴とする、請求項１に記載の温度調節の容易な温水ボイラー及び瞬間温水器の冷温水供給システム。
【請求項２２】
温水ボイラー１２の加熱によって温水を供給する温水ボイラーゾーン１０’と；
前記冷水管２３から供給された冷水を分配する冷水分配管１６、前記温水管２４から供給された温水を分配する温水分配管１７、及び循環水を分配する循環水分配管１７ａが形成され、一つのステップモーター１８ａとサーモスタットバルブ１８ｋが一体的に形成されたサーモバルブ１８が設置された分配調節箱１１ａを持つ分配調節制御ゾーン１１と；
前記分配調節制御ゾーン１１から供給される混合水の設定温度を調節する温度設定レバー８２、設定された混合水と冷水を受けて分配する冷水／混合水転換バルブ４３、及びそれぞれの吐出水を遮断する遮断バルブ４３’が一体的に内装されたバルブ転換箱４１ａが形成された共同浴室制御ゾーン４０ａと；
前記共同浴室制御ゾーン４０ａから供給される混合水の設定温度を調節する温度設定レバー８２、設定された混合水と冷水を受けて分配する冷水／混合水転換バルブ４３、及びそれぞれの吐出水を遮断する遮断バルブ４３’が一体的に内装されたバルブ転換箱４１が形成された厨房制御ゾーン４０と；
前記厨房制御ゾーン４０から供給される混合水の設定温度を調節する温度設定レバー８２、設定された混合水と冷水を受けて分配する冷水／混合水転換バルブ４３、及びそれぞれの吐出水を遮断する遮断バルブ４３’が一体的に内装されたバルブ転換箱４１ｂが形成された個人浴室制御ゾーン４０ｂと；
前記温水ボイラーゾーン１０’、分配調節制御ゾーン１１及びそれぞれの制御ゾーン４０、４０ａ、４０ｂのそれぞれのバルブ転換箱４１が電気及び電子的に結線され、混合水使用の際に温水ボイラー１２の稼動と混合水の温度及び水量を制御するコントローラー７２が備えられたメインコントロールゾーン７０と；を含み、それぞれのバルブ転換箱４１が直列配管で分岐通過して設置されることを特徴とする、温度調節の容易な温水ボイラー及び瞬間温水器の冷温水供給システム。
【請求項２３】
前記サーモバルブ１８は温水ボイラー１２の下部に露出された冷水管２３と温水管２４の間に設置され、前記冷水管２３とサーモバルブ１８を通じて出水される混合水を供給する混合水管２０が共同浴室制御ゾーン４０ａ、厨房制御ゾーン４０及び個人浴室制御ゾーン４０ｂのいずれか一つのバルブ転換箱４１に配管されるとともに前記それぞれのバルブ転換箱４１、４１ａ、４１ｂが直列配管で分岐通過されて設置されることを特徴とする、請求項２２に記載の温度調節の容易な温水ボイラー及び瞬間温水器の冷温水供給システム。
【発明の詳細な説明】
【技術分野】
【０００１】
本発明は温度調節の容易な混合水及び冷温水供給システムに係り、より詳しくはアパート、オフィステル、ホテル、住居用住宅、サウナ施設、公衆トイレの洗面器などの冷温水供給システムにおいて、浴室の入口及び吐水口３０の一側に設置された温水ボイラー１２の循環水ポンプ稼動スイッチ及び流量調節レバーを動作させて、温水ボイラーのスイッチ接点が閉成されて温水ボイラーの循環水ポンプが稼動され、混合水管と循環水管を通じて循環水が循環され、温度調節スイッチで設定された温度の温水が共同浴室、厨房、個人浴室、洗濯室などに設置されたそれぞれの吐水口を通じて即時使用可能な混合水が吐き出されるようにすることで、既存の温水使用方法のように冷温水一体型水栓の調節レバーを上下左右に作動させて配管内に停滞された冷水を排出してから使用者が望む温度の温水を吐き出すまでに捨てられる水の浪費を減らすことができ、さらに一般的な既存の温水使用方法において直ちに世帯配管内から冷温水混合水栓を通じて温水を受けるために付加の循環水管を備えて温度センサーの最上点及び最下点の温度に合わせて温度センサーの接点が閉成あるいは開成されることにより２４時間随時温水ボイラーと循環水ポンプが稼動され、温水の循環の際に消費されるエネルギー消費を大幅減らすことができ、冷温水一体型水栓の調節レバーの操作未熟によって温水ボイラーから高温の温水が吐水口に直接吐き出されて火傷を負うことを防止し、お風呂またはシャワーの際、使用温水の温度が温水ボイラーの温水加熱温度の変化によって随時変わることによって発生する不快感を無くし、ステップモーターとサーモスタットバルブが一体的に組み立てられて構成された一つのサーモバルブによって設定温度に調節された混合水をそれぞれの制御ゾーンの分配機能があるバルブ転換箱に分配供給して、付加の冷温水混合（ミキシング）なしに一つのサーモバルブを通じて多数の吐水口に使用者が願う温度の混合水を供給し、温水／混合水の使用中にも吐水口の一側に設置された冷水／混合水転換スイッチを押せばそれぞれの制御ゾーンには分配機能があるバルブ転換箱の冷水／混合水転換バルブが直ちに冷水側に転換されていつも消費者の要求に応える冷水／混合水の選択使用が可能であり、水栓または吐水口の施工設置時にも壁体の内部に冷温水管をそれぞれ配管せずに冷水または温水／混合水を供給するただ一つの温水／混合水管または冷水管を一本の配管ラインで設置して温水／混合水及び冷水を直ちに受けることができ、配管の本数を減らすことができるので底スラブ構造の安全性が確保され、分配、分岐機能及び温水／混合水と冷水を転換するバルブ転換箱も設置高さ及び壁体の設置位置にかかわらず二重管構造で相互に結合配管されたものである。
【０００２】
また、洋便器に別に結合設置される既存の一体型ビデを設置する必要なしに洋便器の左右側のいずれか一方に二重しわ管構造の配管方式で混合水管を壁体に埋め込んで配管して建築仕上げ後、仕上げられた壁体表面側に付加の混合水遮断及び流量調節ボタンとメタルホースを持つ洗浄スプレーを設置して共同または個人浴室制御ゾーンの各バルブ転換箱から使用者の要求に応えて設定された混合水を受けて壁体の洗浄スプレー掛けにかかっている洗浄スプレーを利用して、大便、小便の用便後、洗浄に使うことはもちろんのこと、トイレの底掃除にも有用に使われる。
【０００３】
また、世帯内のそれぞれの制御ゾーンと連結された配管の漏水または管交替の際にも建築仕上げ材の損傷をまったく与えなくバルブ転換箱の前面開閉門を開いて、バルブ転換箱と結合された二重しわ管２５の内部に挿入配管された温水／混合水管、冷水管、循環水管をバルブ転換箱の内部を通じて外に引き出してから再び入れて配管することができ、従来のように壁体に付加の冷温水一体型水栓を設置する必要なしに流量調節及び流量遮断を行う流量調節レバー及び吐水口のみを連結して設置することにより、壁面がこぎれいで美観がよい効果があるものである。
【背景技術】
【０００４】
従来のアパート、オフィステル、ホテル、住居用住宅、サウナ施設などにおける冷温水供給システムは各需要先に直接供給される冷水と温水ボイラー１２によって暖められて各需要先に供給される温水が冷温水一体型水栓の水栓ハンドルの操作によって冷温水が混合されて冷温水一体型水栓の吐水口を通じて吐き出される構造である。
【０００５】
前記のように設置される従来の構造は、冷温水一体型水栓の吐水口を通じて吐き出される混合水の温度及び水量を調節する付加の水栓ハンドルまたは手動制御バルブが備えられて、使用時には供給される冷水及び温水が使用者の所望温度となるように、前記水栓ハンドルまたは手動制御バルブを手動で操作して、冷温水が混合された混合水が冷温水混合水栓と一体的に形成された水栓の吐水口を通じて吐き出されるようにした。
【０００６】
このように手動で操作される水栓ハンドルまたは手動制御バルブによる混合水の吐出は使用者によって吐出水の温度が異なるため適正の温度に調整することが不便であり、水栓ハンドルの開放の際には温水管内の低温の温水と冷水管の冷水が混合されて吐き出されて使用中に吐出水の温度が変わることになるため、適正温度に調整するために水栓ハンドルを再び調整しなければならない不便さがあり、水栓ハンドルの操作が未熟であるため、左側に温水方向終点まで操作する場合、熱湯または冷水が吐き出されて使用者が火傷を負うか驚くことになる欠点があった。
【０００７】
また、それぞれの吐水口に吐き出される吐出水の温度及び水量を調節する付加の水栓ハンドルまたは手動制御バルブ及び冷温水を供給する冷水供給管及び温水供給管が必ず設置されなければならないもので、壁体への埋設作業が複雑であるのはもちろんのこと、設置されるそれぞれの水栓ハンドルによって美観がよくない欠点があった。
【発明の概要】
【発明が解決しようとする課題】
【０００８】
前記のような従来の欠点を解決するために、本発明は温水ボイラーの稼動及び停止と循環水ポンプ１５を制御して、使用者が設定した温度の混合水がそれぞれの共同浴室、厨房、個人浴室、洗濯室に設置されたそれぞれの吐水口３０を通じて直ぐ吐き出されるようにすることで、冷水使用量によって温水の温度が随時変わることによって発生する不快感を無くし、高温の熱湯の吐出によって火傷を負うことを防止するとともに、不要な循環水ポンプの稼動を制御して水使用量及びエネルギーの節減を図るようにし、それぞれの制御ゾーンに形成されるバルブ転換箱同士はそれぞれの冷水管、温水管、混合水管、循環水管などの軟質管が挿入された二重しわ管の構造にして、バルブ転換箱の内部を通じて流入及び流出可能に結合配管されて前記軟質管の交替及び補修が容易であり、前記それぞれのバルブ転換箱の内部に設置されるそれぞれの冷水／混合水転換バルブによる冷温水／混合水の遮断が可能であって、それぞれの吐水口の故障またはそれぞれの制御ゾーン別（洗面器、洋便器、浴槽、シャワー、流し台水栓、洗濯水栓、手洗濯水栓など）に設置された配管の漏水の際、補修が容易であり、冷水または温水／混合水を供給するただ一つの温水／混合水管または冷水管を一本の配管ラインで設置して温水／混合水及び冷水を直ちに受けることができて配管の本数を減らすことができ、底スラブ構造の安全性が確保され、洋便器に別に結合設置される既存の一体型ビデを設置する必要なしに洋便器の左右側のいずれか１箇所に付加の混合水遮断及び流量調節ボタンとメタルホースを持つ洗浄スプレーを設置して、それぞれのバルブ転換箱４１ａ、４１ｂから使用者の要求に応えて設定された混合水を受け、大便、小便の用便後、洗浄に使うことはもちろんのこと、トイレの底掃除にも有用に使われる温度調節の容易な混合水及び冷温水供給システムを提供することにその目的がある。
【課題を解決するための手段】
【０００９】
前記のような目的を達成するために、本発明は、冷水を加熱供給する温水ボイラー１２の下部に３方バルブ１３及び圧力感知センサー１４と循環水ポンプ１５が露出されて配管で設置され、冷水を分配する冷水分配管１６と温水を分配する温水分配管１７が形成され、前記冷温水分配管１６、１７の下部に一つのステップモーター１８ａとサーモスタットバルブ１８ｋが一体的に形成された多数のサーモバルブ１８が設置された分配調節部１１で構成され、浴室の入口及び吐水口３０の一側に設置された温水ボイラー１２の循環水ポンプ稼動スイッチ１９及び流量調節レバー３１を動作させることで、温水ボイラー１２と循環水ポンプ１５のスイッチ接点が閉成されて温水ボイラー１２の循環水ポンプ１５が稼動され、混合水管２０と循環水管２１を通じて循環水が循環され、温度調節スイッチ２２で設定した温度の混合水が共同浴室、厨房、個人浴室、洗濯室に設置されたそれぞれの吐水口３０を通じて即時使用可能な混合水として吐き出されるようにして、高温の熱湯が吐き出されて火傷を負うことを防止し、不要な水の使用量及びエネルギーを節減するように温水ボイラー１２及び分配調節部１１を制御する循環水ポンピング制御ゾーン１０と；前記循環水ポンピング制御ゾーン１０から設定温度で供給される冷水及び混合水を受けて、一体的に形成されたモーター４５の駆動によって分配及び遮断する冷水／混合水転換バルブ４３が内蔵されたバルブ転換箱４１、４１ａ、４１ｂが形成され、前記バルブ転換箱４１、４１ａ、４１ｂの一側に、冷水／混合水転換バルブ４３を冷水及び混合水側に選択的に転換し、使用者が望む混合水の吐出温度を設定する温度調節スイッチ２２及び稼動スイッチ１９が形成され、使用者の動線に適した位置に設置される制御スイッチ箱４４が設置されたそれぞれの制御ゾーン４０、４０ａ、４０ｂと；前記いずれか一つの制御ゾーン４０、４０ａ、４０ｂから分配されて供給される冷水及び混合水の流量調節及び遮断を行う流量調節レバー３１及び冷温水転換レバー３２を持つ吐水口３０と；前記循環水ポンピング制御ゾーン１０とそれぞれの制御ゾーン４０、４０ａ、４０ｂ及び各吐水口３０が電気及び電子的に結線され、温水／混合水の使用の際、温水ボイラー１２の稼動と混合水の設定温度及び流量を制御するコントローラー７２が備えられたメインコントロールゾーン７０と；を含み、それぞれの制御ゾーン４０、４０ａ、４０ｂの冷水を供給する冷水管２３はループ方式で互いに結合配管されてそれぞれの制御ゾーン４０、４０ａ、４０ｂ同士並列配管で構成されることを特徴とする。
【発明の効果】
【００１０】
前記のように構成された本発明は、それぞれの制御ゾーンに形成された温度調節スイッチによって使用者が設定した温水の温度及び水量が自動で調節され、前記共同浴室、厨房、個人浴室、洗濯室に設置されたそれぞれの吐水口を通じて即席で設定された温度の水が吐き出されるようにすることで、高温の熱湯が吐き出されて火傷を負うことを防止し、それぞれの制御ゾーンが一つのメインコントロールゾーンで制御されてそれぞれの制御ゾーンに設置された多数の吐水口を制御することができるので、設置及び使用が簡便であり、同時に混合水の使用前に浴室の入口及び吐水口付近の循環水ポンプ稼動スイッチを押せば温水ボイラーのスイッチ接点が閉成されて温水ボイラーが稼動され、世帯の多数の制御ゾーンに設置されたサーモバルブの設定温度に合わせて混合水管から循環水管に設定温度の温水／混合水が循環するようにして、吐水口の開放の際に温水／混合水が出れば圧力感知センサーの接点が開成されて循環水ポンプの循環水管側への稼動が中止されて循環水管の循環が中止され、吐水口を通じて混合水を継続して使用するとき、温水ボイラーの稼動は持続され、吐水口の流量調節レバーを閉めると同時に温水ボイラーの稼動が中止されることで、電気及び燃料のエネルギー浪費を減らし、混合水が出るまで排出される冷水を捨てることがなくて水の浪費を減らし、前記それぞれの制御ゾーンに設置される吐水口を開閉するための付加の冷温水混合水栓の設置が必要でなくて配管及び水栓の継ぎ手部を減らすことができ、それぞれの制御ゾーンにそれぞれの吐水口のみを連結して設置するので、壁面が小綺麗で美観がよい効果があり、さらに洋便器本体に付加の洋便器一体型洗浄ビデを設置して使わず、使用者の要求に応えるように設定された混合水を個人、共同トイレゾーンのバルブ転換箱から受け、洋便器の左右側のいずれか１箇所に二重しわ管構造の配管方式で混合水管を壁体に埋め込んで配管し、建築仕上げの後、仕上げられた壁体表面側に付加の混合水遮断及び流量調節ボタンとメタルホースを持つ洗浄スプレーを設置し、壁体の洗浄スプレー固定ブラケットにかかっている洗浄スプレーを大便、小便の後に身体部位の洗浄に使い、トイレ底の掃除にも有用に使うことができるものである。
【図面の簡単な説明】
【００１１】
【図１】図１は本発明による第１実施例の冷温水供給システムを概略的に示すブロック図である。
【図２】図２は本発明による第１実施例の冷温水供給システムの全体構成を示す概略図である。
【図３】図３は本発明の第１実施例の循環水ポンピング制御ゾーンを示す抜粋拡大図である。
【図４】図４は本発明の第１実施例のサーモバルブを示す一部抜粋拡大図である。
【図５】図５は本発明の第１実施例による厨房制御ゾーンのバルブ転換箱の内部に設置された分岐流路管を示す抜粋拡大斜視図である。
【図６】図６は本発明の第１実施例による共同浴室制御ゾーンのバルブ転換箱の内部に設置された分岐流路管を示す抜粋拡大斜視図である。
【図７】図７は本発明の第１実施例の洗濯室バルブ転換箱を示す抜粋拡大図である。
【図８】図８は本発明の第１実施例のメインコントロールゾーンによって冷温水供給システムを制御する概略ブロック図である。
【図９】図９は本発明による変形例の冷温水供給システムの全体構成を示す概略図である。
【図１０】図１０は本発明による第２実施例の温水供給システムの全体構成を示す概略図である。
【図１１】図１１は本発明による第２実施例の循環水ポンピング分配制御槽を示す抜粋拡大図である。
【図１２】図１２は本発明による第２実施例の循環水ポンプ稼動スイッチの結線を示す回路図である。
【図１３】図１３は本発明による第２実施例の分配調節制御ゾーンを示す抜粋拡大図である。
【図１４】図１４は本発明による第２実施例のサーモバルブが設置された分配調節箱の一部抜粋拡大図である。
【図１５】図１５は本発明による第２実施例の分配調節制御ゾーンから分配されて配管で設置されたそれぞれの制御ゾーンの一例を示す共同浴室制御ゾーンの抜粋斜視図である。
【図１６】図１６は本発明による第２実施例の遮断レバーの転換によって遮断バルブの内側を通過する冷水または混合水の移送状態図である。
【図１７】図１７は本発明による第２実施例の分配調節制御ゾーンから分配されて配管で設置されたそれぞれの制御ゾーンの一例を示す厨房制御ゾーンの抜粋斜視図である。
【図１８】図１８は本発明による第２実施例の分配調節制御ゾーンを構成する分配調節箱の他の実施例を示す抜粋斜視図である。
【図１９】図１９は本発明による第２実施例のそれぞれの制御ゾーンを構成するバルブ転換箱の他の実施例を示す抜粋斜視図である。
【図２０】図２０は本発明による第２実施例の直列構造の配管を示す概略図である。
【図２１】図２１は本発明の第２実施例による直列構造の他の配管実施例の概略図である。
【発明を実施するための形態】
【００１２】
（第１実施例）
図１は本発明による第１実施例の冷温水供給システムを概略的に示すブロック図、図２は本発明による第１実施例の冷温水供給システムの全体構成を示す概略図である。
以下、本発明を添付図面に基づいてより詳細に説明する。
【００１３】
本発明は、温水ボイラー１２及び瞬間温水器の内側に３方バルブを有する温水／循環水ポンプ１５を設置し配管内圧力感知センサー１４を設置し、温水使用の際に循環水ポンプ稼動スイッチ１９を押せば温水及び循環水の循環を制御し、温水使用の際にだけ温水ボイラーと温水／循環水ポンプ１５を稼動して温水を供給し、直ちに吐水口３０から混合水を受けることで、水の使用量及びエネルギーを節減するように構成された循環水ポンピング制御ゾーン１０と；前記冷水管２３から供給された冷水を分配する冷水分配管１６と前記温水管２４から供給された温水を分配する温水分配管１７が形成され、一つのステップモーター１８ａとサーモスタットバルブ１８ｋが一体的に形成された多数のサーモバルブ１８が設置された分配調節箱１１ａを持つ分配調節制御ゾーン１１と；前記分配調節制御ゾーン１１から供給される混合水の設定温度を調節するために前記それぞれのサーモバルブ１８に結合形成されたステップモーター１８ａを調節するために結線される温度設定レバー８２と設定温度の混合水と冷水を受けて分配する冷水／混合水転換バルブ４３及びそれぞれの吐出水を遮断する遮断バルブ４３’が一体的に内装されたバルブ転換箱４１、４１ａ、４１ｂが形成されたそれぞれの制御ゾーン４０、４０ａ、４０ｂと；前記いずれか一つの制御ゾーン４０、４０ａ、４０ｂから分配されて供給される混合水及び冷水の流量調節及び遮断を行う流量調節レバー３１及び冷水／混合水転換レバー６４を持つそれぞれの吐水口３０と；前記温水ボイラーゾーン１０、分配調節制御ゾーン１１及びそれぞれの制御ゾーン４０、４０ａ、４０ｂが電気及び電子的に結線され、温水／混合水の使用の際に温水ボイラー１２の稼動と混合水の温度を制御するコントローラー７２を備えたメインコントロールゾーン７０と；を含み、それぞれの制御ゾーン４０、４０ａ、４０ｂが並列配管で構成され、前記循環水ポンプ稼動スイッチ１９を押せば３方バルブ１３が循環水管２１と温水管２４側にバルブを開いて温水ボイラー１２と循環水ポンプ１５が稼動され、温水ボイラー１２の内部で加熱された温水が温水管２４を通じてサーモバルブ１８で設定された温度の温水になり温水管２４と循環水管２１に繰り返し循環されることで、吐水口３０を通じて使用者が設定した温水／混合水を受けて使うことができ、吐水口３０の開放の際には、配管内の圧力が落ちて圧力感知センサー１４の接点が開成され、３方バルブ１３が循環水管２１と温水管２４側にバルブを閉め、冷水管２３と温水ボイラー１２の温水加熱コイルを経て、温水管２４側に３方バルブ１３が開かれて温水／混合水の供給が持続され、吐水口３０の一側に形成された流量調節レバー３１を閉めると同時に温水ボイラー１２の稼動が中止されることにより、混合水が出るまで排出される冷水を捨てることがないので、水の浪費を減らすように構成されたものである。
【００１４】
前記の循環水ポンピング制御ゾーン１０は、図３に示すように、冷水管２３から供給される冷水を加熱する温水ボイラー１２の下部に３方バルブ１３及び圧力感知センサー１４と循環水ポンプ１５が露出配管で設置されて、冷水を分配する冷水分配管１６と前記温水ボイラー１２によって加熱された温水を分配する温水分配管１７が形成される。
【００１５】
前記冷温水分配管１６、１７の下部にはサーモバルブ１８が多数設置されたもので、図３及び図４のように、一つのステップモーター１８ａとサーモスタットバルブ１８ｋが一体的に形成され、前記冷温水分配管１６、１７から冷温水を受けて混合した混合水をそれぞれの制御ゾーン４０、４０ａ、４０ｂに供給する分配調節部１１が形成される。
【００１６】
前記サーモバルブ１８は混合水の設定温度に調整する５相または多相のステップモーター１８ａがサーモスタットバルブ１８ｋとブラケット１８ｃによって一体的に結合固定され、前記ステップモーター１８はＤＣ電源が供給され、メインコントロールゾーン７０のコントローラー７２とそれぞれの制御ゾーン４０、４０ａ、４０ｂの制御スイッチ箱４４に形成された温度調節スイッチ２２に電気線６で連結され、コントローラー７２及び各温度調節スイッチ２２によって制御される。
【００１７】
したがって、それぞれの使用先または浴室の入口及び吐水口３０の一側に設置された温水ボイラー１２の循環水ポンプ稼動スイッチ１９及び吐水口３０の一側に形成された流量調節レバー３１を動作させることによって温水ボイラー１２と循環水ポンプ１５のスイッチ接点が閉成されて温水ボイラー１２の循環水ポンプ１５が稼動され、混合水管２０と循環水管２１を介して循環水の循環が成り、温度調節スイッチ２２で設定した温度の混合水が前記サーモバルブ１８を通じてそれぞれの制御ゾーン４０、４０ａ、４０ｂをなす共同浴室、厨房、個人浴室、洗濯室に設置されたそれぞれの吐水口３０に直ちに使用可能な設定温度を持つ混合水が吐き出されるようにすることにより、高温の熱湯が吐き出されて火傷を負うことを防止し、不要な水の使用量及びエネルギーを節減するように温水ボイラー１２を制御する。
【００１８】
前記循環水ポンプ稼動スイッチ１９をＯＮにすると、一定時間（数分）が経過すれば自動でＯＦＦになり、温水／混合水の使用の後に吐水口３０に吐出水（混合水）が吐き出されることを停止させれば、配管内の圧力が上昇して圧力感知センサー１４の接点が閉成されても温水ボイラー１２と循環水ポンプ１５が継続して稼動されることを防止する。
【００１９】
前記循環水ポンピング制御ゾーン１０から供給される設定温度の冷水及び混合水は厨房制御ゾーン４０をなすバルブ転換箱４１の内部に設置された冷水／混合水転換バルブ４３が備えられた分岐流路管４２に供給され、前記バルブ転換箱４１は、図５に示すように、バルブ転換箱４１の内側に多数の入出口４６を持つ温水／混合水分岐流路４７及び冷水分岐流路４８が形成され、中央部にモーター４５を備えた冷水／混合水転換バルブ４３が形成された分岐流路管４２で構成されて前記バルブ転換箱４１の内側に固定設置される。
【００２０】
前記分岐流路管４２の一側の温水／混合水分岐流路４７の前方に形成された入出口４６には温水／混合水管２０とバルコニー温水／混合水供給管４９及び流し台循環水管５０が結合され、他側の冷水分岐流路４８の前方に形成された入出口４６には共同浴室側、個人浴室側、バルコニー側に連結される冷水管２３がそれぞれ連結設置される。
【００２１】
前記温水／混合水管２０、流し台循環水管５０、多数の冷水管２３は連結エルボー５１で連結されて結合設置される。
【００２２】
前記流し台循環水管５０が結合された温水／混合水分岐流路４７の一側に温水ボイラー１２側に連結されるメイン循環水管２１と、共同浴室側及び個人浴室側に連結される循環水管２１が結合される多数の出口４６ａを持つ循環水合流管５２が連結エルボー５１で連結されて結合設置される。
【００２３】
この際、前記多数の循環水管２１が結合設置される多数の出口４６ａと連結エルボー５１の間には逆止バルブ５３が設置されることで、循環水が逆流することを防止する。
【００２４】
一方、前記のようにバルブ転換箱４１が設置された壁体の一側には使用者の動線に適した位置に使用者が望む混合水の吐出温度を設定する温度調節スイッチ２２及び稼動スイッチ１９が形成された制御スイッチ箱４４が設置される。
【００２５】
前記のように、バルブ転換箱４１の冷水／混合水転換バルブ４３から分配されて供給される混合水及び冷水は流し台側に設置された吐水口３０に供給される。
【００２６】
この際、前記冷水／混合水転換バルブ４３から流し台側の吐水口３０まで連結される配管はフレキシブル管で連結されて配管される。
【００２７】
前記吐水口３０は流量調節及び遮断を行う流量調節レバー３１と冷温水転換レバー３２を備える。
【００２８】
また、温水／混合水分岐流路４７の前方に形成されて結合されたバルコニー温水／混合水供給管４９を通じて分配されて供給される温水／混合水は洗濯室測に設置された吐水口３０に供給される。
【００２９】
前記洗濯室測吐水口３０は、図７に示すように、洗濯室バルブ転換箱５６の内部に冷水／混合水を転換して供給する冷水管２３及び混合水管２０が結合される冷水／混合水転換バルブ４３が設置され、前記洗濯室バルブ転換箱５６の前方に洗濯機が連結される吐水口３０が結合設置された外側カバー５７が結合設置され、必要によって、施工完了の後、漏水などによる補修を要するとき、作業工具あるいは作業者の手が通過するように作業用孔５８ａが大きく形成され、外側表面にはモルタルやタイルなどの付着が容易になるように多数の摩擦突起５８ｂが形成された内側カバー５８が結合される。
【００３０】
また、前記洗濯室バルブ転換箱５６の一側には壁体の内部に埋め込まれるヘッド３４が設置され、手洗濯用混合水及び冷水が吐き出される吐水制御ハンドルが設置された吐水口３０が設置される。
【００３１】
前記バルブ転換箱４１、４１ａ、４１ｂの一側に設置された制御スイッチ箱４４は、使用者の動線に適した位置例として、厨房の場合には流し台の上部壁面側に設置され、使用者が望む混合水の吐出温度を設定する温度調節スイッチ２２及び稼動スイッチ１９が設置され、必要によって多数の機能を付け加える付加のスイッチも設置することができる。
【００３２】
図６は共同浴室制御ゾーン４０ａのバルブ転換箱４１ａの内部に設置された分岐流路管４２を抜粹して示すもので、前記厨房制御ゾーン４０を構成するバルブ転換箱４１ａから分岐されて供給される冷水及び混合水は共同浴室制御ゾーン４０ａのバルブ転換箱４１ａに供給される。
【００３３】
前記共同浴室制御ゾーン４０ａを構成するバルブ転換箱４１ａの内部には前記厨房制御ゾーン４０を構成するバルブ転換箱４１ａの内部に設置される分岐流路管４２と同一ないし類似の機能を持つ分岐流路管４２が設置され、図６に示すように、バルブ転換箱４１ａの内側に多数の入出口４６を持つ温水／混合水分岐流路４７及び冷水分岐流路４８が形成され、中央部にモーター４５を備えた冷水／混合水転換バルブ４３が形成された分岐流路管４２で構成されて前記バルブ転換箱４１ａの内側に設置固定される。
【００３４】
前記分岐流路管４２の一側の温水／混合水分岐流路４７の前方に形成された入出口４６には温水ボイラー１２側に連結された温水／混合水管２０と温水／混合水が循環する循環水管２１が結合され、他側の冷水分岐流路４８の前方に形成された入出口４６にはメイン水道の冷水管２３から直ぐ供給される冷水及び厨房側と洋便器６５側に連結される冷水管２３がそれぞれ結合設置される。
【００３５】
また、前記分岐流路管４２の下部には洗浄スプレー６０側と浴槽シャワー及び洗面器側に冷水または温水／混合水を分配供給する分岐管６４が結合構成される。
【００３６】
前記洗浄スプレー６０は、洋便器６５の本体に付加の洋便器一体型洗浄ビデを設置して使用せず、使用者の要求に応えて設定された混合水をバルブ転換箱４１ａから受け、洋便器の左右側のいずれか１箇所に二重しわ管２５構造の配管方式で混合水管を壁体に埋め込んで配管し、建築仕上げの後、仕上げられた壁体表面側に付加の混合水遮断及び流量調節ボタン６３とメタルホース６２で連結された洗浄スプレー６０を設置することで、大便、小便の用便の後に洗浄に使い、必要によって浴室やトイレ底の掃除にも有用に使うことができる。
【００３７】
前記洗浄スプレー６０には流量調節ボタン６３が設置されているので、前記流量調節ボタン６３を押して混合水を吐き出して洗浄するか浴室やトイレ底の掃除に使用する。
【００３８】
また、前記のように形成されたバルブ転換箱４１ａ、４１ｂの冷水／混合水転換バルブ４３から供給される混合水及び冷水は分岐管６４によって分岐されて洗浄スプレー６２と浴槽シャワー及び洗面器側に混合水及び冷水の流量調節及び遮断を行う流量調節レバー３１が配管で設置されたヘッド３４が壁体の内部に埋め込まれ、前記埋め込まれたヘッド３４に洗面器または浴槽シャワー側に冷水／混合水を吐き出す吐水口３０が結合される。
【００３９】
この際、前記冷水／混合水転換バルブ４３から洗面器側の吐水口３０まで連結される配管はフレキシブル管で連結配管される。
【００４０】
また、前記バルブ転換箱４１、４１ａ、４１ｂの一側に設置された制御スイッチ箱４４は使用者の動線に適した位置例として、洗面器または浴槽の場合に使用者の手または動きが多くない動線内の位置に設置し、使用者が望む混合水の吐出温度を設定する温度調節スイッチ２２及び稼動スイッチ１９が設置され、必要によって多数の機能を付け加える付加のスイッチも設置することができる。
【００４１】
一方、本発明を構成する個人浴室制御ゾーン４０ｂのバルブ転換箱４１の内部に設置された分岐流路管４２及び制御スイッチ箱４４と各部に連結された吐水口３０の連結状態及び配管は前記共同浴室制御ゾーン４０ａの構成及び配管と同一であるので、その具体的な説明は省略する。
【００４２】
図８は本発明のメインコントロールゾーンによって冷温水供給システムを制御する概略ブロック図を示すもので、冷水管２３が連結された水道計量器箱１とサーモバルブ１８を構成するステップモーター１８ａと、それぞれの制御ゾーン４０、４０ａ、４０ｂと連動して作動するそれぞれの３方バルブ１３と、温度調節スイッチ２２と電気、電子的に結線されて温水ボイラー１２の稼動と混合水の温度設定及び水量を制御するコントローラー７２が備えられたメインコントロールゾーン７０とからなる。
【００４３】
前記本発明のそれぞれの制御ゾーン４０、４０ａ、４０ｂの冷水管２３は相互間の配管結合がループ方式でそれぞれの制御ゾーン４０、４０ａ、４０ｂ同士並列配管で構成され、メイン水道管の冷水管２３から温水ボイラー１２と共同浴室制御ゾーン４０ａ及び個人浴室制御ゾーン４０ｂに冷水（直水）が同時に供給されるようにして、１世帯内で２箇所以上の吐水口３０で冷水を同時に使う場合、２方向に冷水が供給されるようにして冷水流量の変化を最小化した。
【００４４】
したがって、前記のように構成される本発明の冷温水供給システムは、制御スイッチ箱４４に設置された循環水ポンプ稼動スイッチ１９をＯＮにすれば一定時間（数分）が経過すれば自動でＯＦＦになり、温水／混合水の使用の後に吐水口３０に吐出水（混合水）が吐き出されることを停止させれば、配管内の圧力が上昇して圧力感知センサー１４の接点が閉成されても温水ボイラー１２と循環水ポンプ１５が継続して稼動されることを防止し、
【００４５】
温水ボイラー１２の下部には別に循環水ポンプ１５と３方バルブ１３及び圧力感知センサー１４を置くことで、前記制御スイッチ箱４４に設置された循環水ポンプ稼動スイッチ１９を押せば、３方バルブ１３が循環水管２１と温水管２４側にバルブを開いて温水ボイラー１２と循環水ポンプ１４が稼動され、温水ボイラー１２の内部に設置された温水加熱コイル（図示せず）によって加熱された温水が温水管２４を通じてサーモバルブ１８で設定された温度になった温水／混合水が温水管２４と循環水管２１に繰り返し循環し、吐水口３０から使用者が設定した温水／混合水を受けて使うことができ、吐水口３０の開放の時には配管内の圧力が落ちて圧力感知センサー１４の接点が開成されて３方バルブ１３が循環水管２１と温水管２４側にバルブを閉め、冷水管２３と温水ボイラー１２の温水加熱コイルを経て、温水管２４側に３方バルブ１３が開かれて温水／混合水の供給が持続され、吐水口３０の一側に形成された流量調節レバー３１を閉めると同時に温水ボイラー１２の稼動が中止されることにより、混合水が出るまで排出される冷水を捨てることなしに水の浪費を減らし、２４時間温水設定温度に合わせて温水ボイラー１２の循環稼動が繰り返し行われることにより発生する電気及び燃料の使用を制限することでエネルギー浪費を減らすことになる。
【００４６】
前記それぞれの制御ゾーン４０、４０ａ、４０ｂのバルブ転換箱４１は壁体に埋め込まれ、他の実施方法ではトイレの天井スラブから露出して設置されるか、あるいは流し台またはドレスルームのおしいれなどのような各種のおしいれまたはおしいれの下壁面から露出されるか底スラブに設置される。
【００４７】
前記のように設置されるバルブ転換箱の配管連結は二重しわ管２５の構造でコネクタ（図示せず）によってそれぞれ結合配管され、二重しわ管２５内には軟質管（冷水、温水／混合水管、循環水管）が挿入配管され、バルブ転換箱４１、４１ａ、４１ｂの内部を通じて取り出すかまた入れて配管し、バルブ転換箱４１の内部には一体的に組み立てられてモーター４５で操作されて冷水または温水／混合水を選択的に転換する冷水／混合水転換バルブ４３が設置され、前記冷水／混合水転換バルブ４３を通過した冷水、温水／混合水をそれぞれの吐水口３０に送り出すのはもちろんのこと、個別に遮断して、各吐水口３０の故障あるいはそれぞれの制御ゾーン４０、４０ａ、４０ｂ（洗面器、洋便器、浴槽、シャワー、流し台水栓、洗濯水栓、手洗濯水栓など）別に設置された配管の漏水の際に補修が容易であるので、従来の修理補修の際、水道計量器箱１の流入バルブを閉めることにより全世帯で水道水を使うことができない以前の方式とは異なり、それぞれ温水／混合水の個別閉鎖の後に使われ、バルブ転換箱４１、４１ａ、４１ｂの多様な冷水、温水／混合水、循環水の流路の構成によってそれぞれの吐水口３０及び他側の制御ゾーンに分岐分配、ループ方式で互いに連結配管する機能がある。
【００４８】
また、洋便器に別に結合設置される既存の一体型ビデを設置する必要なしに、洋便器の左右側のいずれか１箇所に付加の混合水遮断及び流量調節ボタン６３とメタルホースと洗浄スプレーを設置して、それぞれのバルブ転換箱４１、４１ａ、４１ｂから使用者の要求に応えて設定された混合水を受けて大便、小便の用便後、洗浄に使うのはもちろんのこと、トイレ底の掃除にも有用に使われる。
【００４９】
本発明は世帯内のそれぞれの制御ゾーン４０、４０ａ、４０ｂと連結された水栓または吐水口３０が設置された壁体にそれぞれの冷水または温水／混合水を供給する冷水管２３または混合水管２０をそれぞれ設置する必要なしにただ一つの温水／混合水管または冷水管を一本の配管ラインで設置して温水／混合水及び冷水を直ちに受けることができ、配管の本数を減らすことができるので、底スラブ構造の安全性を確保することができるものである。
【００５０】
図９は本発明による他の実施例の冷温水供給システムの全体構成を示す概略図で、冷水を加熱して温水を供給する温水ボイラー１２と；水道管の冷水管２３から供給された冷水を分配する冷水分配管１６と前記温水ボイラー１２から加熱されて供給された温水を分配する温水分配管１７が形成され、手動で作動されて設定温度を調節するサーモバルブ１８が設置された分配調節制御ゾーン１１ａと；前記分配調節制御ゾーン１１ａのそれぞれのサーモバルブ１８から混合水が供給され、前記冷水管２３から冷水が供給され、多数の吐水口３０に冷水及び混合水を分配する冷水／混合水転換バルブが設置されたバルブ転換箱４１が設置されたそれぞれの制御ゾーン４０、４０ａ、４０ｂと；を含んでなる。
【００５１】
前記のように結合構成された他の実施例の冷温水供給システムは、それぞれのサーモバルブ１８を駆動するための電源が必要でなく、使用者が設定した温度を持つ温水温度の調節を手動方式で行い、温水ボイラー１２の下部に冷水管２３と温水管２４のみを直接連結して構成することで、設置が非常に簡単な冷温水供給システムを提供することにより、配管設置の材料節減だけでなく作業工程がとても易しくて簡単な効果があるものである。
【００５２】
（第２実施例）
図１０は本発明による第２実施例の温水供給システムの全体構成を示す概略図である。
以下、前記のように構成された本発明の温水ボイラー１２及び瞬間温水器の温水供給システムを添付図面に基づいてより詳細に説明する。
【００５３】
図１０は一般的な住宅やアパートなどに設置される温水供給システムの全体構成を示す概略図で、循環水ポンピング制御ゾーン１０と分配調節制御ゾーン１１に冷水管２３と温水管２４及び循環水管２１が連結されて設置され、前記分配調節制御ゾーン１１とそれぞれの制御ゾーン４０、４０ａ、４０ｂには冷水管２３、混合水管２０及び循環水管２１が配管で設置される。
【００５４】
図示のように、配管で設置された循環水ポンピング制御ゾーン１０の温水ボイラー１２側には、図１１及び度１２に示すように、冷水が供給される冷水管２３と温水ボイラー１２の稼動によって暖められた温水が排出される温水管２４及び循環水管２１が連結設置されて分配調節制御ゾーン１１に配管で設置される。
【００５５】
前記温水ボイラー１２の内部には温水ボイラー内蔵型温度感知センサー１２ａ及び流水感知センサー１２ｂが設置され、温度センサー接点１２ａ’と流水センサー接点１２ｂ’で連動結線されて温水ボイラー１２内部の温度及び流水を感知し、浴室の入口及び吐水口３０付近に循環水ポンプ稼動スイッチ１９が備えられ、循環水ポンプ稼動スイッチ１９を押せば、温水ボイラー１２のスイッチ接点が閉成されて温水ボイラー１２が稼動され、世帯の多数の制御ゾーン４０、４０ａ、４０ｂに設置されたサーモバルブ１８の設定温度に合わせ、混合水管２０から循環水管２１にサーモバルブ１８で設定された温度の混合水が循環するようにすることで、吐水口３０の開放の時に混合水が出れば、圧力感知センサー１４の圧力センサー接点１４ａ’が開成されて温水／循環水ポンプ１５の稼動が中止されて循環水管２１の循環が中止されるが、吐水口３０を通じて混合水を継続して使用するときには温水ボイラー１２の稼動が持続され、吐水口３０の流量調節レバー３１を閉めると同時に温水ボイラー１２の稼動を中断するために、温水ボイラーの内部または外部の温水管２４に形成された圧力感知センサー１４が設置されて圧力センサー接点１４ａ’で結線されて、前記温水の流れによる温水管２４の内部圧力を感知して温水ボイラーの稼動及び循環水ポンプのスイッチ７ａ、７ｂ、７ｃの接点をＯＮ／Ｏｆｆにする。
【００５６】
前記それぞれのセンサー１２ａ、１２ｂ、１４とそれぞれの接点１２ａ’、１２ｂ’、１４’及び暖房循環ポンプ１５ａ、温水／循環水ポンプ１５と多数の循環水ポンプ稼動スイッチ１９は図１２に示すように結線され、前記多数の循環水ポンプ稼動スイッチ１９は使用の便宜上トイレ出入門枠の一側または厨房の流し台の一側に設置される。
【００５７】
前記のように設置された後、温水を使うためにトイレ出入門枠の一側または厨房の流し台の一側に設置された多数の循環水ポンプ稼動スイッチ１９のいずれか一つをＯＮさせ、蛇口や吐水口３０のハンドルを開放することによって、温水ボイラー１２内の流水感知センサー１２ｂが温水ボイラー１２の内部に流れる流速を感知して流水センサー接点１２ｂ’が閉成されることにより温水ボイラー１２が点火されて温水／循環水ポンプ１５が作動すると同時に暖房循環ポンプ１５ａが作動して、温水ボイラー１２によって加熱された温水が分配調節制御ゾーン１１に移送される。
【００５８】
したがって、温度感知センサー１２ａ及び温度センサー接点１２ａ’、流水感知センサー１２ｂ及び流水センサー接点１２ｂ’、圧力感知センサー１４及び圧力センサー接点１４ａ’の連動によって温水ボイラー１２と温水／循環水ポンプ１５を稼動させて、温水使用の際に温水及び循環水を選択的に供給して吐水口３０から混合水を直ちに受けることができるようにすることにより、暖房循環ポンプ１５ａの無駄な稼動を制御してエネルギーを節減するようにする。
【００５９】
前記のように作動する循環水ポンピング制御ゾーン１０で加熱された温水が供給される分配調節制御ゾーン１１は、図１３及び図１４に示すように、水道管の循環水が供給される循環水分配管１７ａが形成され、一つのステップモーター１８ａとサーモスタットバルブ１８ｋが一体的に結合されて構成されたそれぞれのサーモバルブ１８が設置される分配調節箱１１ａが形成されて壁体に埋め込まれる。
【００６０】
他の実施方法においては、トイレの天井スラブから露出されて設置されるか、あるいは流し台またはドレスルームのおしいれのようなおしいれまたはおしいれの下壁面から露出されて設置されるか底スラブに設置される。
【００６１】
前記分配調節箱１１ａは上下左右側に多数の通孔が穿設され、前記分配調節箱１１ａに配管で設置されて冷水管２３、温水管２４及び循環水管２１を取り囲むしわ管形状の二重管２８はコネクタによって分配調節箱１１ａに結合固定される。
【００６２】
前記のように分配調節箱１１ａの内側に設置された冷水分配管１６と温水分配管１７及び循環水分配管１７ａには、それぞれの制御ゾーン４０、４０ａ、４０ｂに分配されるそれぞれの冷水管２３、混合水管２０及び循環水管２１が配管で設置される。
【００６３】
前記のように配管で設置された温水供給システムは、それぞれの分配管１６、１７、１７ａによって多数の制御ゾーン４０、４０ａ、４０ｂにそれぞれの冷水管２３、混合水管２０及び循環水管２１が配管で設置されて冷水、混合水を供給分配する並列構造になったものである。
【００６４】
前記の循環水分配管１７ａの下部には、それぞれの制御ゾーン４０、４０ａ、４０ｂに冷水と温水が混合された混合水を分配／供給するそれぞれのサーモバルブ１８が設置される。
【００６５】
前記設置されたそれぞれのサーモバルブ１８は、冷水流入口１８ｄ、温水流入口１８ｅ及び混合水出水口１８ｆが形成されたサーモバルブ本体１８ｂと、前記サーモバルブ本体１８ｂの内側に嵌合されるサーモスタットバルブ１８ｋと、前記サーモスタットバルブ１８ｋの一側にブラケット１８ｃによって結合される、混合水設定温度に調整する５相または多相のステップモーター１８ａとが結合されて一体的に構成される。
【００６６】
前記サーモスタットバルブ１８ｋは３方向に貫通形成され、一側のいずれか２方向に冷水及び温水が流入され、他側の残り１方向に前記冷温水が混合されて出ることになる一般的な公知の構造のもので、混合水の設定温度を調節する温度設定レバー８２で混合水使用温度を設定すれば、サーモスタットバルブ１８ｋの一側に形成されたバルブ体軸１８ｇとステップモーター１８ａの駆動回転によって混合水の使用温度をいろいろに設定して調節する。
【００６７】
前記のように作動されるサーモスタットバルブ１８ｋが嵌合されたサーモバルブ本体１８ｂの上部に形成された冷温水流入口１８ｄ、１８ｅ側は、図１４に示すように、冷水分配管１６及び温水分配管１７と連結管１８ｈで結合されて、前記連結管１８ｈを通じて冷温水が供給される。
【００６８】
この際、前記冷水分配管１６及び温水分配管１７と連結される連結管１８ｈの間には、冷水及び温水が互いに逆流することを防止するために逆止バルブ１８ｊが設置される。
【００６９】
前記のように結合構成されたサーモバルブ１８は多段で回転するように設定されたステップモーター１８ａの回転によって、モーター回転体１８ｉに嵌合されたバルブ体軸１８ｇを回転させることで混合水の使用温度を調節する。
【００７０】
一方、前記冷水分配管１６には水道管２を貫いて直接連結され、前記冷水分配管１６を経て温水ボイラー１２側に供給されると同時にそれぞれの制御ゾーン４０、４０ａ、４０ｂ及びサーモバルブ１８の冷水流入口１８ｄに供給される。
【００７１】
したがって、前記のように結合構成された分配調節箱１１ａの前面部に調節箱カバー１１ａ”を結合固定させることで、分配調節箱１１ａを密閉させて分配調節制御ゾーン１１が構成される。
【００７２】
前記分配調節箱１１ａの前面部に結合固定された調節箱カバー１１ａ”は前記分配調節箱１１ａの各角部に形成された固定ホール１１’に対応する位置に長孔１１ｂが形成され、固定部材１１ｃで結合固定され、前記長孔１１ｂを利用して調節箱カバー１１ａ”を上下左右に動きながら水平に調整する。
【００７３】
前記のように設置される分配調節箱１１ａは壁体に埋め込んで設置することができるだけでなく、底にも埋め込んで設置することができる。
【００７４】
また、トイレ天井にも埋め込むか露出させて設置することができ、流し台の内側下部に露出させて設置することができる。
【００７５】
また、ドレスルームのつくりつけのおしいれ内に内装設置することができ、温水ボイラー室の壁面に露出させて設置することができる。
【００７６】
前記のように結合構成された分配調節制御ゾーン１１においては、共同浴室と厨房及び個人浴室などのそれぞれの制御ゾーン４０、４０ａ、４０ｂに冷水管２３、混合水管２０及び循環水管２１が分配されて配管で設置される。
【００７７】
前記のように設置される本発明の温水供給システムは、一つの分配調節制御ゾーン１１から多数の制御ゾーン４０、４０ａ、４０ｂ、たとえば共同浴室と厨房及び個人浴室などに設置された温水供給システムとして説明しているが、設置場所及び周辺状況によって共同浴室と厨房及び個人浴室のそれぞれの制御ゾーン４０、４０ａ、４０ｂ以外にも必要な程度の制御ゾーンを並列でさらに設置することもできる。
【００７８】
図１５は本発明による分配調節制御ゾーンから分配されて配管で設置されたそれぞれの制御ゾーンの一例を示す抜粋斜視図で、共同浴室制御ゾーン４０ａを説明している。
【００７９】
前記共同浴室制御ゾーン４０ａは、前記分配調節制御ゾーン１１から供給される混合水の設定温度を調節する温度設定レバー８２と、設定された混合水及び冷水を受けて分配する冷水／混合水転換バルブ４３と、それぞれの吐出水を遮断する遮断バルブ４３’と、混合水／循環水移動管５２とが内装されたバルブ転換箱４１ａが形成される。
【００８０】
前記バルブ転換箱４１ａの一側には陶器金具設置高さの異なる洋便器箱６５ａが形成され、陶器金具設置高さの異なる洋便器６５ａに冷水管２３が配管されて壁体にそれぞれ埋め込まれる。
【００８１】
前記バルブ転換箱４１ａ及び洋便器箱６５ａは上下左右側に多数の通孔が形成されている。
【００８２】
前記のように配管で設置された冷水管２３、混合水管２０及び循環水管２１も軟質管で形成され、しわ管形状の二重管２８によって保護され、しわ管形状の二重管２８はコネクタによってバルブ転換箱４１ａと洋便器箱６５ａに結合固定される。
【００８３】
前記冷水／混合水転換バルブ４３の周囲には冷水流入口４３ａ、混合水流入口４３ｂ及び冷水／混合水出水口４３ｃが形成され、前記冷水流入口４３ａ側には分配調節制御ゾーン１１から洋便器箱６５ａに分配供給された冷水管２３が配管で結合され、混合水流入口４３ｂ側には分配調節制御ゾーン１１から分配された混合水管２０が配管で結合され、冷水／混合水出水口４３ｃ側には前記冷水流入口４３ａまたは混合水流入口４３ｂ側に流入された冷水または混合水が出水されて移動する冷水／混合水中間移送管４３ｄが結合形成される。
【００８４】
必要によって、前記陶器金具設置高さの異なる洋便器箱６５ａからジャンプして冷水／混合水転換バルブ４３の冷水流入口４３ａに配管で結合された冷水管２３は洋便器箱６５ａを経なくて分配調節制御ゾーン１１の分配調節箱１１ａから直接配管して設置することもできる。
【００８５】
また、前記遮断バルブ４３’の周囲部には、冷水／混合水入水口４３’ａと冷水／混合水出水口４３’ｂ、４３’ｃが両側に形成され、前記冷水／混合水入水口４３’ａ側は前記冷水／混合水転換バルブ４３の転換によって出水される冷水または混合水が移動する冷水／混合水中間移送管４３ｄに配管で結合され、両側に形成された冷水／混合水出水口４３’ｂ、４３’ｃには浴槽または洗面器側に冷水または混合水を移送する冷水／混合水移送管が配管され、混合水及び冷水の流量調節及び遮断を行う流量調節レバー３１が配管で設置されたヘッド３４が壁体の内部に埋め込まれ、前記埋め込まれたヘッド３４に浴槽または洗面器側に混合水を吐き出す吐水口３０が結合される。
【００８６】
また、前記冷水／混合水転換バルブ４３の一側には混合水／循環水移動管５２が設置され、前記混合水流入口４３ｂと結合された混合水管２０の間から分岐されて結合され、他側には循環水管２１が配管で設置され、同一直径の配管で設置される。
【００８７】
この際、前記循環水管２１は前記配管で設置される冷水管２３または混合水管２０の直径より一段階小さな直径を持つ循環水管２１で設置することもできる。
【００８８】
前記冷水／混合水転換バルブ４３及び遮断バルブ４３’の前方にはバルブ回転軸４７が形成される。
【００８９】
一方、前記のように結合構成されたバルブ転換箱４１、４１ａ、４１ｂの前方のレバー開閉板８０が結合固定され、前記レバー開閉板８０に温度設定レバー８２、冷水／混合水転換レバー８４及び遮断レバー８６が設置されて固定される。
【００９０】
前記温度設定レバー８２は内部が多接点スイッチで構成されて前記レバー開閉板８０に固定設置され、ＤＣ用電気線６が引き出され、前記冷水／混合水転換レバー８４及び遮断レバー８６は前記レバー開閉板８０に形成されたレバーホール８７にそれぞれ結合され、前記冷水／混合水転換レバー８４及び遮断レバー８６の後方に形成されたレバー軸棒８４ａ、８６ａが前記冷水／混合水転換バルブ４３及び遮断バルブ４３’の前方に形成されたバルブ回転軸４７に嵌合される。
【００９１】
また、前記冷水／混合水転換バルブ４３及び遮断バルブ４３’の前方に形成されたバルブ回転軸４７に嵌合される冷水／混合水転換レバー８４と遮断レバー８６の間には付加のレバー延長棒８５が結合され、建築仕上げ厚さの変動によって長さを合わせることで、建築仕上げ厚さの条件にかかわらず結合が容易である。
【００９２】
前記のように設定される各温度設定レバー８２は前記分配調節制御ゾーン１１に形成されたそれぞれのサーモバルブ１８と電気的に結線され、前記温度設定レバー８２の設定温度によって前記分配調節制御ゾーン１１の分配調節箱１１ａに設置されたそれぞれのサーモバルブ１８を構成するステップモーター１８ａが駆動されて、モーター回転体１８ｉに嵌合されたバルブ体軸１８ｇを回転させることで、設定温度の冷水と温水の混合量が使用者設定温度になって供給されるようにサーモバルブ１８の温水使用温度を調節する。
【００９３】
また、前記冷水／混合水転換バルブ４３に形成された転換バルブ回転軸に前記冷水／混合水転換レバー８４に形成されたレバー軸棒８４ａが嵌合され、前記冷水／混合水転換レバー８４の左右回転によって冷水／混合水転換バルブ４３が開閉して冷水または混合水が通過して移送される。
【００９４】
また、遮断バルブ４３’に形成されたバルブ回転軸４７に前記遮断レバー８６に形成されたレバー軸棒８６ａが嵌合され、前記遮断レバー８６の左右回転によって遮断バルブ４３’が開閉して、洗面器側または浴槽側に吐き出される吐出水を選択するかあるいは全体を遮断し、それぞれの制御ゾーン４０、４０ａ、４０ｂに形成された吐水口３０の漏水及び交替の際、それぞれの器具の吐出水を遮断することができるので、全世帯の流量遮断でないそれぞれの制御ゾーン４０、４０ａ、４０ｂ及びそれぞれの吐水口３０が個別に遮断される。
【００９５】
図１６の（ａ）は前記遮断レバー８６の転換によって遮断バルブ４３’の内側を通過する冷水または混合水が洗面器側と浴槽側にすべて移送される普段の状態を示すものである。
【００９６】
図１６の（ｂ）は前記遮断レバー８６の転換によって遮断バルブ４３’の内側を通過する冷水または混合水が浴槽側は遮断されて洗面器側にだけ移送される状態を示すもので、前記のような転換状態では浴槽側が個別的に遮断されるので、浴槽側の配管まや吐水口３０などを補修及び交替することができる。
【００９７】
図１６の（ｃ）は前記遮断レバー８６の転換によって遮断バルブ４３’の内側を通過する冷水または混合水が洗面器側は遮断されて浴槽側にだけ移送される状態を示すもので、前記のような転換状態では洗面器側が遮断されて洗面器側が個別的に遮断されるので、浴槽側の配管や吐水口３０などを補修及び交替することができる。
【００９８】
図１６の（ｄ）は前記遮断レバー８６の転換によって遮断バルブ４３’の内側を通過する冷水または混合水が洗面器側と浴槽側の両方とも遮断された状態を示すもので、洗面器側と浴槽側の配管や遮断レバーまたは吐水口３０などを同時に補修及び交替することができる。
【００９９】
前記のように遮断レバー８６の左右回転によって選択的にあるいは全体的に遮断することができる遮断バルブ４３’は、洗面器側または浴槽側に配管された混合水管２０または各吐水口３０で漏水などの問題が発生して交替ないし補修するとき、遮断レバー８６の選択的または全体的な遮断によって容易に交替ないし補修することができる。
【０１００】
図１７は本発明による分配調節制御ゾーンから分配されて配管で設置されたそれぞれの制御ゾーンの一例を示す抜粋斜視図で、厨房制御ゾーン４０を説明している。
【０１０１】
前記厨房制御ゾーン４０は、前記分配調節制御ゾーン１１から供給される混合水の設定温度を調節する温度設定レバー８２と、設定された混合水と冷水を受けて分配する冷水／混合水転換バルブ４３と、それぞれの吐出水を遮断する遮断バルブ４３’とが一体的に内装されたバルブ転換箱４１が形成されたもので、前記共同浴室制御ゾーン４０ａのバルブ転換箱４１及び遮断バルブ４３’と同一構造に構成されて同一の役目をする。
【０１０２】
ただ、前記バルブ転換箱４１の一側に洗濯室制御箱を形成して洗濯機側と手洗濯側に混合水を供給する。
【０１０３】
前記の厨房制御ゾーン４０を形成するバルブ転換箱４１と洗濯室制御箱も上下左右側に多数の通孔が穿設され、配管で設置された冷水管２３、混合水管２０及び循環水管２１も軟質管で形成されて二重しわ管２５で保護され、二重しわ管２５はコネクタによってバルブ転換箱４１の通孔及び洗濯室制御箱に結合固定される。
【０１０４】
前記冷水／混合水転換バルブ４３は前記共同浴室制御ゾーン４０ａのバルブ転換箱４１に構成された冷水／混合水転換バルブ４３と同一構造のもので、冷水流入口４３ａまたは混合水流入口４３ｂ側に流入された冷水または混合水が冷水／混合水出水口４３ｃ側に出水されて同一の役目をする。
【０１０５】
前記冷水／混合水出水口４３ｃ側に出水される冷水または混合水は冷水／混合水中間移送管４３ｄに移送される。
【０１０６】
前記遮断バルブ４３’の周囲部には冷水／混合水入水口４３’ａと冷水／混合水出水口４３’ｂ、４３’ｃが形成され、前記冷水／混合水入水口４３’ａ側には前記冷水／混合水転換バルブ４３の転換によって出水される冷水または混合水が移動する冷水／混合水中間移送管４３ｄが配管で結合され、両側に形成された冷水／混合水出水口４３’ｂ、４３’ｃには流し台または洗濯室制御箱側に冷水または混合水を移送する冷水／混合水移送管が配管され、前記流し台側に配管で設置される冷水／混合水移送管の端部に混合水及び冷水の流量調節及び遮断を行う流量調節レバー３１が配管で設置されたヘッド３４が壁体の内部に埋め込まれ、前記埋め込まれたヘッド３４に流し台側に混合水及び冷水を吐き出す吐水口３０が結合される。
【０１０７】
前記洗濯室制御箱側に流量調節レバー３１が配管で設置されたヘッド３４が壁体の内部に埋め込まれ、前記埋め込まれたヘッド３４に洗濯機側に混合水及び冷水を吐き出す吐水口３０または手洗濯用混合水及び冷水が吐き出される吐水口３０が結合される。
【０１０８】
前記手洗濯用で設置される調節レバー５は必要によって吐水口３０そのものに吐水制御ハンドルが設置された吐水口３０を設置することもできる。
【０１０９】
前記のように結合構成された厨房制御ゾーン４０のバルブ転換箱４１の前方には温度設定レバー８２、冷水／混合水転換レバー８４及び遮断レバー８６が結合されたレバー開閉板８０が結合固定されたもので、前記共同浴室制御ゾーン４０ａのバルブ転換箱４１ａの前方に形成されたそれぞれのレバー８２、８４、８６と同一の構造及び役目をする。
【０１１０】
前記の温度設定レバー８２、冷水／混合水転換レバー８４及び遮断レバー８６が結合されたレバー開閉板８０は流し台の上部板に、前記レバー開閉板８０が突出するように設置することにより、使用者が便利に使えるようにすることもできる。
【０１１１】
一方、前記本発明のそれぞれのバルブ転換箱４１、４１ａ、４１ｂの前面に設置された温度設定レバー８２は設置条件によって温度設定が可能なもので、Ｃ（冷水）、３０℃、３５℃、４０℃、Ｈ（熱湯）の５段階に設定することが好ましいが、必要によっては温度設定範囲をＣ（冷水）とＨ（熱湯）を含み、設定段階を５段階以上の７、８、９、１０、・・・段階に使用者によって細分化して設置することもできる。
【０１１２】
また、前記温度設定レバー８２は前述したように段階別に転換される手動転換だけでなく、必要によってＬＣＤ表示部（図示せず）を持つデジタルスイッチ（図示せず）に取り替えてアナログ方式またはデジタル数字方式あるいは数字入力方式でも温度設定が可能である。
【０１１３】
また、冷水／混合水転換レバー８４及び遮断レバー８６も手動で作動する構造になっているが、前記手動で作動するそれぞれのバルブ４３、４４はそれぞれのバルブ回転軸４７にそれぞれのモーター（図示せず）を結合してモーターの駆動によって開閉するようにすることもできる。
【０１１４】
したがって、前記のように作動する温度設定レバー８２、冷水／混合水転換レバー８４及び遮断レバー８６が形成されたレバー開閉板８０は分配調節制御ゾーン１１とメインコントロールゾーン７０に電気的に結線してモーターを自動制御することで、即席で設定温度及び水量の吐出水が多数の吐水口３０に吐き出されるようにすることもできる。
【０１１５】
一方、本発明のメインコントロールゾーン７０は、循環水ポンピング制御ゾーン１０に構成される温水ボイラー１２、電動開閉バルブ１５ａ’及び温水／循環水ポンプ１５、分配調節制御ゾーン１１に構成されたサーモバルブ１８を駆動する多数のステップモーター１８ａ、及びそれぞれの制御ゾーン４０、４０ａ、４０ｂに構成された温度設定レバー８２と電気線６でコントローラー７２に結線されて構成されるもので、前記コントローラー７２によって本発明を構成する温水供給システムを制御し、前記それぞれの制御ゾーン４０、４０ａ、４０ｂの温度設定レバー８２によって即席で設定温度及び水量の混合水が多数のそれぞれの吐水口３０に吐き出されるようにして使用を簡便にしたものである。
【０１１６】
図１８は本発明による分配調節制御ゾーンを構成する分配調節箱の他の実施例を示す抜粋斜視図で、分配調節箱１１ａの前面には、建築仕上げ材の厚さの変更によって延長部材１１０が結合設置される。
【０１１７】
前記延長部材１１０は周囲面が前記分配調節箱１１ａの周囲面と同一の大きさになり、小幅のもので、固定用ネジ１０１によって分配調節箱１１ａと一体的に結合されて分配調節箱１１ａの幅を調節する部材として使われる。
【０１１８】
また、分配調節箱１１ａに延長部材１１０が結合されたときは、延長部材１１０側にネジ１０１によって一体化され、分配調節箱１１ａの角部に形成されたネジ結合孔１２１は、分配調節箱１１ａあるいは延長部材１１０と結合されるとき、孔が互いに一致しないときあるいは分配調節箱１１ａが壁体にちょっと歪んで設置されたとき、調節箱カバー１１ａ”を左右に動かして垂直に合わせるように、調節箱カバー１１ａ”の固定用ネジ１０１の孔が長方形に形成される。
【０１１９】
図１９は本発明によるそれぞれの制御ゾーンを構成するバルブ転換箱の他の実施例を示す抜粋斜視図で、建築仕上げ厚さの変更によって仕上げ材の厚さが厚くなるとき、バルブ転換箱４１、４１ａ、４１ｂの前面には延長部材１１０と結合して内側カバー１２０が結合される。
【０１２０】
前記延長部材１１０は周囲面が前記バルブ転換箱４１、４１ａ、４１ｂの周囲面と同一の大きさになり、幅は小幅であり、固定用ネジ１０１によってバルブ転換箱４１、４１ａ、４１ｂと一体的に結合されてバルブ転換箱４１、４１ａ、４１ｂの幅を調節する部材として使われる。
【０１２１】
また、前記内側カバー１２０は、バルブ転換箱４１、４１ａ、４１ｂの前面あるいはバルブ転換箱４１、４１ａ、４１ｂに延長部材１１０が結合されたときは、延長部材１１０側にネジ１０１によって一体的に結合され、内側カバー１２０の角部に形成されたネジ結合孔１２１は、分配調節箱１１ａあるいは延長部材１１０と結合されるとき、孔が互いに一致しないときあるいはバルブ転換箱た４１、４１ａ、４１ｂが壁体にちょっと歪んで設置されたとき、内側カバー１２０を左右に動かして垂直に合わせるために、ネジ結合孔１２１が長方形に形成される。
【０１２２】
また、内側カバー１２０は、施工完了の後、漏水などによる補修を要するとき、作業工具あるいは作業者の手が通過するように、作業用孔１２２が大きく形成され、外側表面にはモルタルやタイルなどの付着が容易になるように多数の摩擦突起１２３が形成される。
【０１２３】
前記作業用孔１２２はわく部１２４が所定の幅（モルタルあるいはタイルの高さ程度）で前面に突出し、本発明のレバー開閉板８０がネジ１０１によって締結できるように、３箇所に締結孔１２５が形成される。すなわち、下部に一つの孔が形成され、上部両側の２箇所に孔が形成され、前記下部に形成された一つの孔をレバー開閉板８０の締結の際に中心としてレバー開閉板８０を左右に動かして円滑に締結することができることになる。
【０１２４】
したがって、前記バルブ転換箱４１、４１ａ、４１ｂの他の実施例と同様に、厨房制御ゾーン４０に設置されるバルブ転換箱４１と個人浴室制御ゾーン４０ｂに設置されるバルブ転換箱４１ｂも付加の延長部材１１０または内側カバー１２０を結合して施工することができるものである。
【０１２５】
図２０は本発明による直列構造の配管の概略図で、冷温水管２３、２４が連結された温水ボイラー１２及び瞬間温水器の温水供給システムにおいて、前記温水ボイラー１２の加熱によって温水を供給する温水ボイラーゾーン１０’と；前記冷水管２３から供給された冷水を分配する冷水分配管１６と前記温水管２４から供給された温水を分配する温水分配管１７が形成され、一つのステップモーター１８ａとサーモスタットバルブ１８ｋが一体的に形成されたサーモバルブ１８が設置された分配調節箱１１ａを持つ分配調節制御ゾーン１１と；前記分配調節制御ゾーン１１から供給される混合水の設定温度を調節する温度設定レバー８２、設定された混合水と冷水を受けて分配する冷水／混合水転換バルブ４３、及びそれぞれの吐出水を遮断する遮断バルブ４３’が一体的に内装されたバルブ転換箱４１ａが形成された共同浴室制御ゾーン４０ａと；前記共同浴室制御ゾーン４０ａから供給される混合水の設定温度を調節する温度設定レバー８２、設定された混合水と冷水を受けて分配する冷水／混合水転換バルブ４３、及びそれぞれの吐出水を遮断する遮断バルブ４３’が一体的に内装されたバルブ転換箱４１が形成された厨房制御ゾーン４０と；前記厨房制御ゾーン４０から供給される混合水の設定温度を調節する温度設定レバー８２、設定された混合水と冷水を受けて分配する冷水／混合水転換バルブ４３、及びそれぞれの吐出水を遮断する遮断バルブ４３’が一体的に内装されたバルブ転換箱４１ｂが形成された個人浴室制御ゾーン４０ｂと；前記温水ボイラーゾーン１０、分配調節制御ゾーン１１及びそれぞれの制御ゾーン４０、４０ａ、４０ｂが電気及び電子的に結線され、混合水使用の際、温水ボイラー１２の稼動と混合水の温度及び水量を制御するコントローラー７２が備えられたメインコントロールゾーン７０と；を含み、それぞれの制御ゾーン４０、４０ａ、４０ｂが直列配管で構成されたことを特徴とする。
【０１２６】
前記のように直列配管で結合構成された実施例の温水供給システムは、前記本発明の並列配管で構成された温水供給システムと同様に、設置しようとするそれぞれの制御ゾーン４０、４０ａ、４０ｂに混合水を供給するために設置されるそれぞれのサーモバルブ１８を備えて設置する必要なしに、分配調節箱１１ａの内側に一つのサーモバルブ１８のみを設置することで、分配調節箱１１ａから共同浴室制御ゾーン４０ａのバルブ転換箱４１ａに、前記共同浴室制御ゾーン４０ａのバルブ転換箱４１ａから厨房制御ゾーン４０のバルブ転換箱４１に、前記厨房制御ゾーン４０のバルブ転換箱４１から個人浴室制御ゾーン４０ｂのバルブ転換箱４１ｂに直列で配管して分岐することにより、一つのサーモバルブ１８を利用して多数の制御ゾーン４０、４０ａ、４０ｂに形成されたそれぞれのバルブ転換箱４１、４１ａ、４１ｂに混合水を供給することができる温水供給システムである。
【０１２７】
図２１は本発明による直列構造の他の配管実施例の概略図で、冷水と温水を引入して混合水を出水するサーモバルブ１８は温水ボイラー１２の下部に露出した冷水管２３と温水管２４の間に設置し、前記冷水管２３とサーモバルブ１８を通じて出水される混合水を供給する混合水管２０を共同浴室制御ゾーン４０ａ、厨房制御ゾーン４０及び個人浴室制御ゾーン４０ｂのいずれか一つのバルブ転換箱４１、４１ａ、４１ｂに配管するとともに前記それぞれのバルブ転換箱４１、４１ａ、４１ｂを直列配管で分岐して設置することにより、配管設置が非常に簡単でありながらも使用が便利な温水供給システムを構成することができる。
【０１２８】
前記の分配調節箱１１ａの内側に設置されたサーモバルブ１８のステップモーター１８ａ及び温水ボイラー１２の下部も露出して設置されたサーモバルブ１８のステップモーター１８ａはそれぞれの制御ゾーン４０、４０ａ、４０ｂに形成されたそれぞれのバルブ転換箱４１、４１ａ、４１ｂの温度設定レバー８２と電気線６でメインコントロールゾーン７０のコントローラー７２に結線されて構成されて前記コントローラー７２によって温水供給システムを制御し、前記それぞれの制御ゾーン４０、４０ａ、４０ｂに形成されたそれぞれのバルブ転換箱４１、４１ａ、４１ｂの温度設定レバー８２によって即席で設定された温度及び水量の混合水が多数の吐水口３０に吐き出されるようにして使用を簡便にするものである。
【０１２９】
本発明は上述した特定の好適な実施例に限定されなく、請求範囲で請求する本発明の要旨を逸脱することがなしに、本発明が属する当該技術分野で通常の知識を持った者であれば誰でも多様な変形実施が可能であるのはもちろんのこと、そのような変更は本発明の請求範囲記載の範囲内に属するものである。
【図１】
2011519011.tif 000003
【図２】
2011519011.tif 000004
【図６】
2011519011.tif 000005
【図７】
2011519011.tif 000006
【図８】
2011519011.tif 000007
【図９】
2011519011.tif 000008
【図１２】
2011519011.tif 000009
【図１３】
2011519011.tif 000010
【図１６】
2011519011.tif 000011
【図１８】
2011519011.tif 000012
【図２１】
2011519011.tif 000013
2011519011.tif 000014
2011519011.tif 000015
2011519011.tif 000016
2011519011.tif 000017
2011519011.tif 000018
2011519011.tif 000019
2011519011.tif 000020
2011519011.tif 000021
2011519011.tif 000022
2011519011.tif 000023
2011519011.tif 000024
2011519011.tif 000025
2011519011.tif 000026
2011519011.tif 000027
2011519011.tif 000028
2011519011.tif 000029
2011519011.tif 000030
2011519011.tif 000031
2011519011.tif 000032
2011519011.tif 000033
2011519011.tif 000034
【国際調査報告】
2011519011.tif 000035
2011519011.tif 000036
2011519011.tif 000037
2011519011.tif 000038
2011519011.tif 000039
2011519011.tif 000040